(57)【要約】【課題】極めてシンプルな構造で精度の高い切断加工を可能にし、光ファイバ融着機に使用するホルダ装置の使用も可能にする光ファイバ用切断具を提供する。【解決手段】枕５０を装着したシリンダー６０を前記スライダー３０に上下スライド自在に設ける。該シリンダー６０を押圧付勢するスプリング７０がスライダー３０に設けられる。スライダー３０の水平移動で前記刃４０が心線Ｐ１に初期傷を付けた後で、前記スプリング７０の押圧付勢力でスライダー３０から反発するシリンダー６０を介して前記枕５０が心線Ｐ１を側面から押圧付勢して切断する。【選択図】図２
2005153025.tif 000002
【特許請求の範囲】
【請求項１】
光ファイバの被覆が除去された心線の端末部を基台上の２箇所で固定するクランプと、該クランプの間で基台上を水平移動し心線に直交する初期傷を付ける刃を設けたスライダーと、傷の付いた心線を側面から押圧付勢する枕とを設けた光ファイバ用切断具において、前記枕を装着したシリンダーを前記スライダーに上下スライド自在に設けると共に、該シリンダーを押圧付勢するスプリングがスライダーに設けられ、スライダーの水平移動に伴って前記刃が心線に初期傷を付けると共に、前記スプリングの押圧付勢力でスライダーから反発するシリンダーを介して前記枕が心線を側面から押圧付勢して切断するように設けたことを特徴とする光ファイバ用切断具。
【請求項２】
前記スライダーは、前記クランプにて固定された光ファイバの心線の上方で水平移動するように設け、スライダーから心線に向けて下向きに配設した刃と、該刃と共にスライダーに併設された前記シリンダーと、該シリンダーの下部に位置するように装着した前記枕と、シリンダーを上方に向けて押圧付勢する前記スプリングと、シリンダーの下部に設けられ前記基台の下面にスライド係止してスプリングの押圧付勢状態を保持する係止ロックと、基台の下面に設けられ刃が心線を傷付けた後に係止ロックの係止状態を解除する解除凹部とを有する請求項１記載の光ファイバ用切断具。
【請求項３】
前記基台に前記クランプに隣接する台座を形成し、該台座に着脱自在に載置するホルダ装置を設け、該ホルダ装置に保持した光ファイバをホルダ装置ごと台座に載置したときに、ホルダ装置に保持した光ファイバ先端の被覆が除去された心線端末部分がクランプで保持する定位置に設置されるように設けた請求項１記載の光ファイバ用切断具。
【請求項４】
前記ホルダ装置は、光ファイバ融着具で使用するホルダ装置と共通するサイズに形成された請求項３記載の光ファイバ用切断具。
【発明の詳細な説明】
【技術分野】
【０００１】
本発明は、光ファイバを切断する光ファイバ用切断具に係り、特に、極めてシンプルな構造で精度の高い切断加工を可能にする光ファイバ用切断具に関する。
【背景技術】
【０００２】
光ファイバを切断する手段として、光ファイバをクランプで保持し、刃により傷を与え、光ファイバ側面を枕で押圧して切断するといった一連の工程が必要になる。そこで従来では、次の特許文献１乃至３に記載されているような切断方法や切断機が提案されている。
【０００３】
特許文献１は、光ファイバの切断方法に関するものである。この特許文献１には、前記の工程中で、光ファイバをクランプで保持する際に、光ファイバに一定の張力を印加する工程を設け、光ファイバに印加した張力と、光ファイバ側面を押圧する枕の微少な降下により光ファイバを切断する光ファイバの切断方法が記載されている。
【０００４】
また、特許文献２は、光ファイバ切断機に関するものである。この特許文献２には、前記光ファイバ側面を押圧して切断する工程において、光ファイバを固定するクランプ台に、光ファイバを真直状態に保つように一定の張力を付与できる弾性体を具えている。更に、該クランプ台と刃との間には、該クランプ台に形成した傾斜面と、これに対向してスライダに設けたプランジャの組み合わせによる張力付勢機構を形成することで、光ファイバの加傷部を拡大して切断するものである。
【０００５】
更に、特許文献３には、前記工程の全て、すなわち光ファイバを保持してから切断するまでの一連の動作を操作レバーの動作のみで行うことができるようにした光ファイバカッタが記載されている。この特許文献３では、操作レバーの動作のみで光ファイバを切断するために、操作レバーと刃を設けたスライダとは、リンクにより連結されている。また、光ファイバをクランプに保持する工程で、クランプレバーは、操作レバーと同一軸に軸支されている。更に、刃により傷を与え、光ファイバ側面を押圧して切断する工程のために、特許文献３の枕は、クランプレバーの上面側に突出して操作レバーにより押圧されるボタン部と、ボタン部に連結されると共に裸光ファイバに接する接触部と、接触部をクランプレバーの下面側に押圧する弾性材とを具えたものである。
【０００６】
一方、特許文献４には、切断された光ファイバを連結する際に使用する光ファイバ融着機の光ファイバ心線ホルダ装置が記載されている。この装置は、前記特許文献１乃至３などを使用して切断された光ファイバの心線端部相互を融着して連結する際に使用する装置である。
【０００７】
この光ファイバ融着機には放電電極が対向配置されており、この放電電極の向きに対して直交する方向の両側に一対のファイバ整列ブロックが配置される。その外側に光ファイバ心線を整列保持するホルダ装置が配設されている。このホルダ装置は長方体のブロック体からなり、このブロック体の上面にＶ溝が形成され、このＶ溝に接続される光ファイバが整列保持される。更に、先端の被覆材が皮剥ぎされて露出した光ファイバの心線がファイバ整列ブロックに保持されて互いに軸合わせ状態で対向配置されている。この状態で、放電電極間に放電エネルギを発生させることにより光ファイバの先端部が溶融し、この溶融状態で、光ファイバの一方側を押し込んで圧接することにより、光ファイバ同士の融着接続が達成されるものである。
【特許文献１】特許第３０７７９８３号公報
【特許文献２】特許第３２３０２２６号公報
【特許文献３】特開２００２−２８６９４３号公報
【特許文献４】特許第３１０８５３９号公報
【発明の開示】
【発明が解決しようとする課題】
【０００８】
特許文献１乃至特許文献３に記載されているような従来の切断方法や切断機などでは、光ファイバを切断するために複雑な機構や多くの構成を用いることから、製造コストが極めて高くなっていた。そのため、作業現場で使用する光ファイバ切断機の台数が限られてしまい、光ファイバの切断作業の効率は、この光ファイバ切断機の使用台数で決定される不都合があった。その原因は、光ファイバの切断には精度の高い切断加工が必要になることにある。光ファイバを保持し、刃により傷を与え、光ファイバ側面を押圧して切断するといった精度の高い一連の工程を行うには、前記特許文献１乃至特許文献３に記載された機構や構成を用いる必要があった。
【０００９】
すなわち、特許文献１では、光ファイバに一定の張力を印加する機構や、光ファイバ側面を押圧する枕の微少な降下を実現する構成などが必要になっていた。
【００１０】
また、特許文献２では、クランプ台に形成した傾斜面と、これに対向してスライダに設けたプランジャの組み合わせによる張力付勢機構などが必須の構成になっている。
【００１１】
更に、特許文献３では、光ファイバの保持、初期傷の付与、光ファイバの切断といった一連の動作を一つの動作で行うために、更に複雑な構成になっている。例えば、リンクにより連結されている操作レバーとスライダとに加え、操作レバーと同一軸に軸支され、基体と操作レバーとの間に配置されるクランプレバーや、操作レバーにより押圧されるボタン部とボタン部に連結されて裸光ファイバに接する接触部と接触部をクランプレバーの下面側に押圧する弾性材とを具えた枕などが重要な構成として採用されている。
【００１２】
このように、光ファイバの切断時に精度の高い切断加工が必要になることから、従来の切断方法や切断機などでは、複雑な機構や多くの構成を要し、安価な提供が極めて困難になっていた。そのため、作業現場で使用する光ファイバ切断機の台数が限られてしまい、作業員が個々に携帯することができず、作業能率を阻む不都合が生じていた。
【００１３】
しかも、光ファイバの配線工事は、光ファイバを切断した後に、これらを接続する工程が残されている。引用文献４に示される光ファイバ融着機は、一般的に使用されている接続装置である。この光ファイバ融着機を使用する場合、光ファイバの心線を保持して定位置に固定する前記ホルダ装置が用いられている。前述の特許文献１乃至特許文献３に記載された切断方法や切断機は、この切断後の工程については一切考慮されていなかった。
【００１４】
例えば、従来の切断機と融着機とに共通するホルダ装置を利用できるようにすることで、配線工事の効率アップと機材の省力化が期待できるものになる。しかしながら、特許文献１乃至特許文献３に記載された切断方法や切断機は、それ自体複雑な機構や多くの構成を要しているので、光ファイバ融着機に使用可能な心線ホルダを用いることは、更に構成が複雑化して製造コストも高騰することになる。そのため、このようなホルダ装置を従来の切断方法や切断機に採用することは極めて困難であった。
【００１５】
そこで本発明は上述の課題を解消すべく創出されたもので、極めてシンプルな構造で精度の高い切断加工を可能にし、しかも、光ファイバ融着機に使用するホルダ装置の使用も可能にする光ファイバ用切断具の提供を目的とする。
【課題を解決するための手段】
【００１６】
本発明の第１の手段は、光ファイバＰの被覆が除去された心線Ｐ１の端末部を基台１０上の２箇所で固定するクランプ２０と、該クランプ２０の間で基台１０上を水平移動し心線Ｐ１に直交する初期傷を付ける刃４０を設けたスライダー３０と、傷の付いた心線Ｐ１を側面から押圧付勢する枕５０とを設けた光ファイバ用切断具において、前記枕５０を装着したシリンダー６０を前記スライダー３０に上下スライド自在に設けると共に、該シリンダー６０を押圧付勢せしめるスプリング７０を、該シリンダー６０に設け、スライダー３０の水平移動に伴って前記刃４０が心線Ｐ１に初期傷を付けると共に、前記スプリング７０の押圧付勢力でスライダー３０から反発するシリンダー６０を介して前記枕５０が心線Ｐ１を側面から押圧付勢して切断するように設けたことにある。
【００１７】
第２の手段において、前記スライダー３０は、前記クランプ２０にて固定された光ファイバＰの心線Ｐ１の上方で水平移動するように設け、スライダー３０から心線Ｐ１に向けて下向きに配設した刃４０と、該刃４０と共にスライダー３０に併設された前記シリンダー６０と、該シリンダー６０の下部に位置するように装着した前記枕５０と、シリンダー６０を上方に向けて押圧付勢する前記スプリング７０と、シリンダー６０の下部に設けられ前記基台１０の下面にスライド係止してスプリング７０の押圧付勢状態を保持する係止ロック６１と、基台１０の下面に設けられ刃４０が心線Ｐ１を傷付けた後に係止ロック６１の係止状態を解除する解除凹部１１とを有するものである。
【００１８】
第３の手段は、前記基台１０に前記クランプ２０に隣接する台座１２を形成し、該台座１２に着脱自在に載置するホルダ装置８０を設け、該ホルダ装置８０に保持した光ファイバＰをホルダ装置８０ごと台座１２に載置したときに、ホルダ装置８０に保持した光ファイバＰ先端の被覆が除去された心線Ｐ端末部分がクランプ２０で保持する定位置に設置されるように設けている。
【００１９】
第４の手段において、前記ホルダ装置８０を、光ファイバ融着具で使用するホルダ装置と共通するサイズに形成したことを課題解消のための手段とする。
【発明の効果】
【００２０】
本発明によると、スライダー３０の水平移動で前記刃４０が心線Ｐ１に初期傷を付けると共に、前記スプリング７０の反発力でスライダー３０から突出したシリンダー６０に付属の枕５０が心線Ｐ１を側面から押圧付勢して切断するように設けたことで、シンプルな構造で量産時には従来製品のおよそ１／１０の価格で提供することが可能になった。この結果、作業員が個々に携帯して作業能率を飛躍的に高めることができる。
【００２１】
また、前記スライダー３０は、前記クランプ２０にて固定された光ファイバＰの心線Ｐ１の上方で水平移動するように設け、スライダー３０から心線Ｐ１に向けて下向きに配設した刃４０と、該刃４０と共にスライダー３０に併設された前記シリンダー６０と、該シリンダー６０の下部に位置するように装着した前記枕５０と、シリンダー６０を上方に向けて押圧付勢する前記スプリング７０と、シリンダー６０の下端部に設けられ前記基台１０の下面にスライド係止してスプリング７０の押圧付勢状態を保持する係止ロック６１と、基台１０の下面に設けられ刃４０が心線Ｐ１を傷付けた後に係止ロック６１の係止状態を解除する解除凹部１１とを有する構成を採用しているので、シンプルな構造でも精度の高い切断加工を可能にした。
【００２２】
更に、前記基台１０に台座１２を形成し、該台座１２に着脱自在に載置するホルダ装置８０を設け、該ホルダ装置８０に保持した光ファイバＰをホルダ装置８０ごと台座１２に載置したときに、ホルダ装置８０に保持した光ファイバＰ先端の被覆が除去された心線Ｐ端末部分がクランプ２０で保持する定位置に設置されるように設けているので光ファイバＰの装着作業が容易になり、切断作業の能率を高めるものである。
【００２３】
しかも、前記ホルダ装置８０を、光ファイバ融着具で使用するホルダ装置と共通するサイズに形成したことで、配線工事の作業効率を高めると共に、機材の省力化も期待できるものである。
【発明を実施するための最良の形態】
【００２４】
本発明によると、枕５０を装着したシリンダー６０をスライダー３０に上下スライド自在に設けると共に、該シリンダー６０を押圧付勢するスプリング７０がスライダー３０に設けられる。スライダー３０の水平移動で前記刃４０が心線Ｐ１に初期傷を付けた後で、前記スプリング７０の反発力でスライダー３０から突出したシリンダー６０に付属の枕５０が、心線Ｐ１を側面から押圧付勢して切断するように設ける。前記基台１０に台座１２を形成し、該台座１２に着脱自在に載置するホルダ装置８０を設け、該ホルダ装置８０に保持した光ファイバＰをホルダ装置８０ごと台座１２に載置したときに、ホルダ装置８０に保持した光ファイバＰ先端の被覆が除去された心線Ｐ端末部分がクランプ２０で保持する定位置に設置されるように設ける。前記ホルダ装置８０を、光ファイバ融着具で使用するホルダ装置と共通するサイズに形成する。
【実施例】
【００２５】
本発明切断具の基本構成は、基台１０にスライド自在に装着されるスライダー３０と、このスライダー３０に装着される部材として刃４０、シリンダー６０及び枕５０がある。更に基台１０には、光ファイバＰの被覆が除去された心線Ｐ１を固定するクランプ２０が装着されると共に、光ファイバＰの被覆部を保持したホルダ装置８０を着脱自在に載置する（図１（イ）参照）。
【００２６】
基台１０は、切断する光ファイバＰの心線Ｐ１を定位置に載置固定するもので、心線Ｐ１の端末部を載置し、この心線Ｐ１を基台１０上の２箇所で固定するクランプ２０を揺動自在に設けている（図１（ロ）参照）。基台１０の心線Ｐ１を載置する定位置及び、クランプ２０の心線Ｐ１を押さえる部分には、いずれも硬質ゴム１３、２１を装着して心線Ｐ１を保護しながら確実に固定している。
【００２７】
更に基台１０には、台座１２を形成している（図２参照）。そして、この台座１２に着脱自在に載置するホルダ装置８０を設け、該ホルダ装置８０に保持した光ファイバＰをホルダ装置８０ごと台座１２に載置する（図１（イ）参照）。このとき、台座１２にホルダ装置８０を載置すると、ホルダ装置８０に保持した心線Ｐ１の先端部が、基台１０の所定の切断位置に設置されるように設けている（図６参照）。したがって、ホルダ装置８０を載置した後は、そのままクランプ２０を下げるのみで、心線Ｐ１が定位置に固定される（図１（ロ）参照）。図示のホルダ装置８０は、光ファイバＰの被覆部分を保持するために、断面Ｖ字形状の保持溝８１を形成している（図７参照）。特に、このホルダ装置８０を、光ファイバ融着具（図示せず）で使用するホルダ装置Ｓと共通するサイズに形成することで、切断した光ファイバＰを、そのままホルダ装置Ｓごと光ファイバ融着具に移動できるように設けている（図８参照）。
【００２８】
クランプ２０は、基台１０の定位置に載置された心線Ｐ１の先端部を２箇所押さえるために、間隔を空けて一対設けてある（図２、図５参照）。図示のクランプ２０は、基台１０に連結軸２４で揺動自在に軸着される連結部２２から心線Ｐ１０押さえる固定部２３がクランク状に延長されている（図２参照）。前記硬質ゴム２１は、この固定部２３に設けている。また、固定部２３が直接接する基台１０の表面に保護部材１４を設けてクランプ２０の耐久性を高めている。
【００２９】
スライダー３０には、刃４０と枕５０とが装着されており、このスライダー３０を手指にて把持し、クランプ２０相互間をクランプ２０に沿って水平移動せしめることで、基台１０に固定した心線Ｐ１を切断する（図１（ハ）参照）。すなわち、図示のスライダー３０は、前記クランプ２０で固定された光ファイバＰの心線Ｐ１の上方において、水平移動するように設けている。
【００３０】
このスライダー３０には、スライダー３０から心線Ｐ１に向けて下向きに配設した刃４０を設け、スライダー３０の水平移動時に、心線Ｐ１に略直交状に接触して初期傷を付ける。図示の刃４０は、略棒体状を成した刃体４２の下端部に刃先４１を設けている（図３参照）。この刃先４１は、略円弧状を成し、心線Ｐ１の長手方向に対して直交する角度で心線Ｐ１側面に接触する（図６参照）。図示例の刃４０は、スライダー３０に凹設した収納部３１に収納され、固定板３２と固定ボルト３３とで固定されている（図２参照）。
【００３１】
更にスライダー３０には、前記刃４０と共に枕５０を併設している。この枕５０は、スライダー３０に上下スライド自在に設けたシリンダー６０の下部に設けられている。またスライダー３０には、このシリンダー６０を押圧付勢するコイルスプリング等のスプリング７０が設けられている。そして、スライダー３０の水平移動で前記刃４０が心線Ｐ１に初期傷を付けた後で、前記スプリング７０の反発力でスライダー３０から突出したシリンダー６０に付属の枕５０が心線Ｐ１を側面から押圧付勢して切断するように設けている。図示の枕５０はシリンダー６０の側面から突出した略棒状を成し、平坦に形成した枕５０の上面に硬質ゴム５１を設け、この硬質ゴム５１で心線Ｐ１を押圧する。
【００３２】
図示のシリンダー６０には、シリンダー６０を上方に向けて押圧付勢するコイル状のスプリング７０が設けられている。そして、スライダー３０を縦方向に貫通するスライド孔３４にシリンダー６０をスライド自在に嵌入し、シリンダー６０の上端部から周囲に張り出し形成した押圧片６２をスプリング７０で押圧付勢し、シリンダー６０が上方に突出するように設けている（図３、図４参照）。尚、同図中、符号６３は、シリンダー６０が上方に突出する勢いを調整する調整ネジである。
【００３３】
一方、シリンダー６０の下部では、シリンダー６０が上方に突出するのを阻止する係止ロック６１が設けられている（図３、図５参照）。この係止ロック６１は、基台１０の下面にスライド係止してスプリング７０の押圧付勢状態を保持する部材である。そして、この係止ロック６１が基台１０の下面に設けた解除凹部１１までスライド移動すると、係止ロック６１の係止状態が解除され、シリンダー６０はスプリング７０の反発する付勢力でスライダー３０の上方に突出する（図４参照）。この動きに伴なって、シリンダー６０の下部に設けた枕５０が上方に移動し、初期傷が付いた心線Ｐ１の側面を押圧して心線Ｐ１を切断する。
【００３４】
図示の係止ロック６１は、シリンダー６０の下端部から水平方向に一対張り出し形成し、基台１０の下面に設けたスライド溝１５に係止し、このスライド溝１５に沿って移動する（図３、図５参照）。そして、スライダー３０を水平移動すると、スライド溝１５に設けた解除凹部１１に係止ロック６１が嵌入して係止ロック６１の係止状態が解除されるものである（図４参照）。
【００３５】
尚、図示例では、心線Ｐ１の上方を水平移動するスライダー３０の実施例に基いて、刃４０の向きや枕５０及びシリンダー６０の移動方向を設定しているが、スライダー３０の位置は図示例に限定されるものではなく、心線Ｐ１の下方を水平移動するスライダー３０を設けた場合などにおいて、これら刃４０の向きや枕５０及びシリンダー６０の移動方向は任意に変更できるものである。また、刃４０の形状においても、図示例の外、従来から使用されている円盤状の刃に変更することも可能である。
【図面の簡単な説明】
【００３６】
【図１】本発明工具の使用方法を示す斜視図である。
【図２】本発明工具の一実施例を示す分解斜視図である。
【図３】本発明工具の刃と枕とで心線を切断する前の状態を示す縦断面図である。
【図４】本発明工具の刃と枕で心線を切断した後の状態を示す縦断面図である。
【図５】本発明工具の基台とスライダーとを示す縦断面図である。
【図６】本発明工具の定位置に載置された心線と刃とを示す要部拡大正面図である。
【図７】本発明工具のホルダ装置を示す縦断面図である。
【図８】本発明工具に光ファイバ融着機のホルダ装置を使用して心線切断後、ホルダ装置ごと取外した状態を示す斜視図である。
【符号の説明】
【００３７】
Ｐ    光ファイバ    Ｐ１  心線
Ｓ    ホルダ装置
１０  基台            １１  解除凹部
１２  台座
１３  硬質ゴム
１４  保護部材
１５  スライド溝
２０  クランプ        ２１  硬質ゴム
２２  連結部
２３  固定部
２４  連結軸
３０  スライダー      ３１  収納部
３２  固定板
３３  固定ボルト
３４  スライド孔
４０  刃              ４１  刃先
４２  刃体
５０  枕              ５１  硬質ゴム
６０  シリンダー      ６１  係止ロック
６２  押圧片
６３  調整ネジ
７０  スプリング
８０  ホルダ装置      ８１  保持溝
【図１】
2005153025.tif 000003
【図２】
2005153025.tif 000004
【図３】
2005153025.tif 000005
【図４】
2005153025.tif 000006
【図５】
2005153025.tif 000007
【図６】
2005153025.tif 000008
【図７】
2005153025.tif 000009
【図８】
2005153025.tif 000010